(57)【特許請求の範囲】
【請求項１】
魚の形状をしたルアーの腹部に接離可能な状態で、前記腹部の少なくとも１箇所に形成されたフックアイに取り付けられるルアー用フックであって、
略Ｊ字状をなす金属線材からなり、チモト、軸及び針先を有する第１フック構成部材と、
前記第１フック構成部材よりも短かくて略く字状または略円弧状に曲げ加工された金属線材からなり、その両方の端部が非尖鋭状に形成された第２フック構成部材と
を備えるとともに、
前記第２フック構成部材の長さは、前記第１フック構成部材の高さ方向の寸法の１／３〜１／２であり、かつ適用する前記ルアーの横幅寸法よりも短く、
第２フック構成部材は、前記第１フック構成部材を前記針先のある前側から見たときに、上下方向に延びる前記軸と交差して左右方向に延びた状態となるように、前記針先を始点として前記軸に直交する直線を引いたときの前記軸との交点よりも下側の位置に、固定されているとともに、
前記第２フック構成部材における凸状曲部は、前記軸の後側に固定され、
前記第２フック構成部材において前記凸状曲部の反対側に存在する凹状曲部は、適用する前記ルアーの前記腹部に接離可能であり、かつ当該ルアーの前記腹部の表面の曲面形状に追従しうる形状となっている
ことを特徴とするルアー用フック。
【請求項２】
前記軸の横断面において前記軸を基準とする前記針先の方向を０°と定義したとき、前記第２フック構成部材の両方の端部が、それぞれ前記軸を基準とする±９０°〜±１５０°の範囲の方向を向いていることを特徴とする請求項１に記載のルアー用フック。
【請求項３】
前記第２フック構成部材の両方の端部が、それぞれ前記軸を基準とする±１００°〜±１３０°の範囲の方向を向いていることを特徴とする請求項２に記載のルアー用フック。
【請求項４】
前記第２フック構成部材の少なくとも両方の端部は、樹脂材またはゴム材からなる被覆体で被覆されていることを特徴とする請求項１乃至３のいずれか１項に記載のルアー用フック。
【請求項５】
魚の形状をしたルアーの腹部の少なくとも１箇所に形成されたフックアイに、請求項１乃至４のいずれか１項に記載のルアー用フックを取り付けた釣り用ルアー。
【発明の詳細な説明】
【技術分野】
【０００１】
本発明は、ルアー用フック及びそれを備えた釣り用ルアーに関するものである。
【背景技術】
【０００２】
ルアーフィッシングにはルアー（疑似餌）が用いられるが、通常、ルアーには１つまたは２つ以上のルアー用フックが取り付けられる。従来においては、３本の針先を等角度間隔で配置したトレブルフック（トリプルフック）が多く利用されてきた。しかし近年では、キャッチアンドリリースの目的のため、一般的なエサ用と同様の形状であるＪ型のシングルフックをルアー用フックとして使用することも増えつつある。
【０００３】
ところで、Ｊ型のシングルフックはチモトに結んだ糸から引く力を針先に効率よく伝えるために、針先が若干内側（軸側）に向いたクローズゲイブがよいとされている。クローズゲイブのＪ型のシングルフックをルアー腹部のフックアイに取り付けた場合には、針の軸部がルアー腹部と干渉して斜めになる。そのため、ルアー腹部と針先との距離が小さくなり、魚が口でルアーを咥えたときに針先との接触が減る結果、どうしても針掛かりが悪くなる。そこで、魚の口と針先との接触を増やすためには、図６（ａ）に示すルアー５１のルアー用フック５２のように、針先と腹部との距離を大きくなるようストレートゲイブに近いものとすることが考えられる。しかしこの場合、魚が針先に接触したときに、自由端となっているチモト５３を中心としてフック５２が回転しやすい。その結果、図６（ｂ）に示すように、本来の好ましいルアー腹部中央位置からフック５２が逃げて（位置ずれして）しまい、針掛かりが悪くなる。
【０００４】
なお、Ｊ型のシングルフックに関する技術ではないが、水中でのフックの位置ずれを抑制するための技術が従来いくつか提案されている（例えば、特許文献１、２を参照）。特許文献１では、水中にてスイベルフックをルアーに保持させるために、ルアー腹部に磁石を設けたものが開示されている。特許文献２では、水中にてダブルフックをルアーに保持させるために、２つのフックにより挟着される板状部材をルアー腹部に設けたものが開示されている。
【先行技術文献】
【特許文献】
【０００５】
【特許文献１】特開２０１５−１９６００号公報
【特許文献２】特開２００９−１７８１１５号公報
【発明の概要】
【発明が解決しようとする課題】
【０００６】
しかしながら、上記従来技術ではルアー側にフック保持のための構成を追加する必要があるため、専用のルアーを用意しなければならず、汎用性が高いものとは言い難かった。
【０００７】
本発明は上記の課題に鑑みてなされたものであり、その目的は、ルアー側の構成追加を伴うことなく、水中でフックが位置ずれしにくくて針掛かりがよいルアー用フック及びそれを備えた釣り用ルアーを提供することにある。
【課題を解決するための手段】
【０００８】
上記課題を解決するために、手段１に記載の発明は、魚の形状をしたルアーの腹部に接離可能な状態で、前記腹部の少なくとも１箇所に形成されたフックアイに取り付けられるルアー用フックであって、略Ｊ字状をなす金属線材からなり、チモト、軸及び針先を有する第１フック構成部材と、前記第１フック構成部材よりも短かくて略く字状または略円弧状に曲げ加工された金属線材からなり、その両方の端部が非尖鋭状に形成された第２フック構成部材とを備えるとともに、前記第２フック構成部材の長さは、前記第１フック構成部材の高さ方向の寸法の１／３〜１／２であり、かつ適用する前記ルアーの横幅寸法よりも短く、第２フック構成部材は、前記第１フック構成部材を前記針先のある前側から見たときに、上下方向に延びる前記軸と交差して左右方向に延びた状態となるように、前記針先を始点として前記軸に直交する直線を引いたときの前記軸との交点よりも下側の位置に、固定されているとともに、前記第２フック構成部材における凸状曲部は、前記軸の後側に固定され、前記第２フック構成部材において前記凸状曲部の反対側に存在する凹状曲部は、適用する前記ルアーの前記腹部に接離可能であり、かつ当該ルアーの前記腹部の表面の曲面形状に追従しうる形状となっていることを特徴とするルアー用フックをその要旨とする。
【０００９】
従って、手段１に記載の発明によると、ルアー腹部におけるフックアイに対し、第１フック構成部材のチモト側を取り付けて使用した場合において、第１フック構成部材の針先に魚が触れたときに、第２フック構成部材がルアー腹部に当接して保持される。その結果、水中にてフック全体が位置ずれしにくくなり、針掛かりも向上する。また、本発明ではルアー側にフック保持のための構成を追加する必要がないため、様々な種類のルアーに適用することができ、汎用性に優れている。
また、前記第２フック構成部材は、略く字状または略円弧状に曲げ加工された金属線材であり、前記第２フック構成部材における凸状曲部が、前記軸の外側に固定されている。つまり、第２フック構成部材における凸状曲部の反対側には好適な凹状曲部が存在しているので、その凹状曲部がルアーの腹部に当接したときに、いっそう横滑りしにくい状態となる。また、このように曲げ加工された第２フック構成部材は、ルアー腹部表面の曲面形状に追従しやすいものとなる。よって、第２フック構成部材がより安定した状態で保持される。
【００１０】
手段２に記載の発明は、手段１において、前記軸の横断面において前記軸を基準とする前記針先の方向を０°と定義したとき、前記第２フック構成部材の両方の端部が、それぞれ前記軸を基準とする±９０°〜±１５０°の範囲の方向を向いていることをその要旨とする。
【００１１】
従って、手段２に記載の発明によると、第２フック構成部材の両方の端部がそれぞれ好適な範囲の方向を向いているため、第２フック構成部材の周面がルアーの腹部に当接したときに、横滑りしにくい状態で第２フック構成部材が保持される。よって、フック全体がより位置ずれしにくくなる。
【００１２】
手段３に記載の発明は、手段１において、前記第２フック構成部材の両方の端部が、それぞれ前記軸を基準とする±１００°〜±１３０°の範囲の方向を向いていることをその要旨とする。
【００１３】
従って、手段３に記載の発明によると、第２フック構成部材の両方の端部がそれぞれより好適な範囲の方向を向いているため、第２フック構成部材の周面に好適な凹状部位が形成される。ゆえに、第２フック構成部材の周面がルアーの腹部に当接したときに、いっそう横滑りしにくい状態で第２フック構成部材が確実に保持される。
【００１６】
手段４に記載の発明は、手段１乃至３のいずれか１項において、前記第２フック構成部材の少なくとも両方の端部は、樹脂材またはゴム材からなる被覆体で被覆されていることをその要旨とする。
【００１７】
従って、手段４に記載の発明によると、比較的軟質な樹脂材またはゴム材からなる被覆体を介して、第２フック構成部材がルアー腹部に接触する。これにより滑り止めが図られる結果、第２フック構成部材がより安定した状態で保持される。また、ルアーと第２フック構成部材との当接による衝突音が軽減されるため、このような衝突音を嫌う魚の釣りに適したものとなる。さらに、第２フック構成部材との当接によるルアーの傷付きも回避される。
【００１８】
手段５に記載の発明は、魚の形状をしたルアーの腹部の少なくとも１箇所に形成されたフックアイに、手段１乃至４のいずれか１項に記載のルアー用フックを取り付けた釣り用ルアーをその要旨とする。
【発明の効果】
【００１９】
以上詳述したように、請求項１〜５に記載の発明によると、ルアー側の構成追加を伴うことなく、水中でフックが位置ずれしにくくて針掛かりがよいルアー用フック及びそれを備えた釣り用ルアーを提供することができる。
【図面の簡単な説明】
【００２０】
【図１】（ａ）は本発明を具体化した一実施形態のルアー用フックの側面図、（ｂ）は同じくその背面図、（ｃ）は同じくその底面図。
【図２】上記実施形態のルアー用フックにおける第２フック構成部材の両方の端部が向けられるべき好適角度範囲についての説明図。
【図３】上記実施形態のルアー用フックをルアーに取り付けた状態を示す側面図。
【図４】図３のＡ−Ａ線における断面図。
【図５】（ａ）〜（ｃ）は別の実施形態のルアー用フックを示す断面図。
【図６】（ａ）、（ｂ）は従来技術の問題点を説明するための図。
【発明を実施するための形態】
【００２１】
以下、本発明を具体化した一実施形態のルアー用フック及びそれを使用したルアーを図１〜図４に基づき詳細に説明する。
【００２２】
図１には、本実施形態のルアー用フック１１が示されている。このルアー用フック１１は、いわゆるＪ型のシングルフックと呼ばれるものであって、第１フック構成部材２１と第２フック構成部材３１とによって構成されている。
【００２３】
第１フック構成部材２１及び第２フック構成部材３１は、いずれも金属線材からなる。金属線材としては、一般的に釣り針に使用されるものであれば特に限定されず使用することができるが、本実施形態ではステンレス鋼や高炭素鋼からなる線材を使用している。使用する金属線材の太さは特に限定されず、対象とする魚種に応じて任意に設定される。金属線材の太さは例えば１ｍｍ〜５ｍｍ程度であることが好ましく、本実施形態では２ｍｍ〜３ｍｍ程度の金属線材を選択している。使用する金属線材の色は特に限定されず、本実施形態では金属の素地の色（即ち銀色）のままとなっているが、銀色以外の金属色（例えば金色、黄銅色など）であってもよい。さらには、金属色ではない別の色（例えば黒色、赤色など）の塗膜が形成された金属線材を用いてもよい。
【００２４】
このルアー用フック１１を構成する第１フック構成部材２１は、全体として略Ｊ字状をなす金属線材からなる。この第１フック構成部材２１は、チモト２２、軸２３、曲げ部２４、カエシ２５及び針先２６をこの順序で有している。チモト２２は、第１フック構成部材２１の基端部（図１（ａ）では上端部）に位置しており、ここでは金属線材の端部をリング状に曲げ加工することにより形成されている。リング状のチモト２２を採用する場合、孔部がルアー用フック１１の前後方向（図１（ａ）では左右方向、図１（ｂ）では紙面に垂直な方向）を向くように形成されることが好ましい。なお、チモト２２はリング状でなくてもよく、ルアー１５の腹部１６のフックアイ１７と何らかの連結部材を介して連結可能なものであれば、どのような形状であってもよい。
【００２５】
針先２６は第１フック構成部材２１の先端部に位置しており、魚の口に容易に突き刺さるように、先に行くにつれて直径が徐々に細くなり最終的には点となる尖鋭的な形状に加工されている。カエシ２５は針先２６のすぐ近くにおいて逆方向（図１（ａ）では下側方向）を向くように形成されている。軸２３はチモト２２の下方に連続するように形成されており、軸２３の下端部と針先２６の下端部との間には曲げ部２４が配置されている。
【００２６】
このルアー用フック１１を構成する第２フック構成部材３１は、第１フック構成部材２１よりも短く、略円弧状に曲げ加工された金属線材からなる。第２フック構成部材３１の長さは、例えば第１フック構成部材２１の高さ方向の寸法Ｌ２の半分以下が好ましく、特には前記寸法Ｌ２の１／３〜１／２程度であることが好ましい。この寸法を短くしすぎると、第２フック構成部材３１がルアー１５の腹部１６に対して当接しうる長さが減ってしまい、第２フック構成部材３１が保持されにくくなるおそれがある。逆に、この寸法を長くしすぎたとしても、第２フック構成部材３１を保持する効果の向上は期待できないばかりか、かえって第２フック構成部材３１の両方の端部３２がルアー１５の幅方向に張り出してしまい、水中での抵抗増大につながるおそれがある。以上の事情から、第２フック構成部材３１は、上記の好適寸法範囲の条件を満たしつつ、ルアー１５の横幅寸法よりも短く形成されていることがより好ましい。
【００２７】
この第２フック構成部材３１の両方の端部３２は、上述した針先２６とは逆に、先に行っても直径が細くならない非尖鋭状に形成されている。つまり、両方の端部３２は、魚の体に容易に突き刺さりにくく、魚を傷付けにくい形状となっている。例えば、本実施形態では第２フック構成部材３１の両方の端部３２は、金属線材を切断工具で切断したときの断面そのままの状態となっている。
【００２８】
第２フック構成部材３１は、第１フック構成部材２１における所定位置に固定されている。図１（ａ）に示されるように、針先２６を始点として軸２３に直交する直線Ｌ１を引き、そのときに直線Ｌ１と軸２３とが交わる点を「交点Ｐ１」とする。第２フック構成部材３１は、軸２３と交差した状態となるように、その交点Ｐ１よりも下側の位置に、固定されている。つまり、第２フック構成部材３１は、軸２３の下半分の領域、あるいは軸２３と曲げ部２４との境界領域付近に固定されている。本実施形態では、後者の領域が固定位置として選択されている。なお、第２フック構成部材３１の固定位置を交点Ｐ１よりも上側の位置にしてしまうと、第２フック構成部材３１が針先２６に加わる力を十分に受け止めて保持することが難しくなるおそれがある。
【００２９】
そして、略円弧状に曲げ加工された本実施形態の第２フック構成部材３１は、凸状曲部３３を軸２３側に向け、凹状曲部３４を軸２３側とは反対側に向けた状態で、軸２３の外側（即ち背面側）に固定されている。固定する手法としては特に限定されず従来公知の様々な手法を採用することができ、例えば溶接、ろう付け、接着、糸結び等の中から選択することが可能である。なお、図１（ｂ）に示されるように、第２フック構成部材３１は、第１フック構成部材２１の延びる上下方向（即ち軸２３の延びる方向）に対して、直交する状態で配置される。また、第２フック構成部材３１の両方の端部３２は、軸２３を基準として同じ長さずつ側方に突出している。従って、このルアー用フック１１は、左右対称な形状及び重量バランスを有したものとなっている（図１（ｂ）、（ｃ）を参照）。
【００３０】
図２は、第２フック構成部材３１の両方の端部３２が向けられるべき好適角度範囲について説明したものである。軸２３の横断面において、軸２３を基準とする針先２６の方向を０°と定義する。このとき、両方の端部３２が、それぞれ軸２３を基準とする±９０°〜±１５０°の範囲の方向を向いていることが好ましく、±１００°〜±１３０°の範囲の方向を向いていることが特に好ましい。特に後者の好適角度範囲に設定した場合、第２フック構成部材３１の周面に好適な大きさ及び形状の凹状曲部３４が形成される。ゆえに、第２フック構成部材３１の周面がルアー１５の腹部１６に当接したときに、横滑りしにくい状態で第２フック構成部材２１が確実に保持される。
【００３１】
図３は、上記のように構成されたルアー用フック１１をルアー１５に取り付けた状態を示している。取付対象であるルアー１５としては、基本的に魚の形状をしていて腹部１６にフックアイ１７を備えているものであれば、素材、大きさ、色を問わず各種のものを選択することができる。具体的にいうと、ミノー、ホッパー、シャッド、ペンシルベイト、クランクベイト、ジャークベイト、ウェイクベイトなどを選択することができる。図３のルアー１５では、腹部１６における１箇所にフックアイ１７が設けられている。そして、連結部材としての二重リング１８を用いてチモト２２とフックアイ１７とを連結することにより、ルアー用フック１１がルアー１５に取り付けられている。なお、二重リング１８は本実施形態のように２個であってもよいが、２個用いることに限定されるものではない。
【００３２】
そして、このように構成された本実施形態のルアー用フック１１を取り付けた釣り用ルアー１５は、以下のような効果を奏することができる。
【００３３】
（１）ルアー１５を水中に投入した後に魚がルアーを咥えようとして、魚が針先２６に接触したときには、自由端となっているチモト２２を中心として、ルアー用フック１１全体を図６（ｂ）のように回転させようとする力が作用する。しかし、このような場合であっても、第２フック構成部材３１がルアー１５の腹部１６に当接することで、ルアー用フック１１が本来の好ましい腹部１６の中央位置にて回転不能に保持される。その結果、水中にてルアー用フック１１全体が位置ずれしにくくなり、針掛かりも向上する。また、本実施形態の構成によると、ルアー用フック１１側にのみ保持のための構成を設けていることから、ルアー１５側にそのような構成を追加する必要がない。それゆえ、本実施形態のルアー用フック１１は、様々な種類のルアー１５に広く適用することができ、汎用性に優れたものとなっている。勿論、本実施形態のルアー用フック１１は、基本的にＪ型のシングルフックであるため、魚のバラシの危険性も低く、キャッチアンドリリースに好適なものとなっている。以上述べたように、本実施形態によれば、ルアー１５側の構成追加を伴うことなく、水中で位置ずれしにくくて針掛かりがよいルアー用フック１１及びそれを備えた釣り用ルアー１５を提供することができる。
【００３４】
（２）本実施形態のルアー用フック１１では、略円弧状に曲げ加工された金属線材を第２フック構成部材３１として用いており、その第２フック構成部材３１における凸状曲部３３の中央部分を軸２３の外側に固定している。また、第２フック構成部材３１の両方の端部３２は、それぞれ上記の好適角度範囲となるように設定されている。なお、第２フック構成部材３１における凸状曲部３３の反対側には、好適な形状（即ち適用するルアー１５の腹部１６の曲率にほぼ等しい曲率を有する形状）の凹状曲部３４が存在している。従って、その凹状曲部３４がルアー１５の腹部１６に当接したときには、横滑りしにくい状態で第２フック構成部材３１が確実に保持される。よって、ルアー用フック１１全体がより位置ずれしにくくなる。また、このように曲げ加工された第２フック構成部材３１は、ルアー１５の腹部１６の表面の曲面形状に追従しやすいものとなる。よって、第２フック構成部材３１がより安定した状態で保持される。
【００３５】
（３）本実施形態のルアー用フック１１では、第２フック構成部材３１が軸２３の外側（即ち背面側）に固定されていることに加え、リング状のチモト２２における孔部が前後方向を向くように形成されている。それゆえ、図１（ａ）に示されるように、軸２３及びチモト２２よりも第２フック構成部材３１のほうが背面側に位置しており、軸２３及びチモト２２が突出していない。従って、図３に示されるように、第２フック構成部材３１がルアー１５の腹部１６に優先的に当接する一方で、第１フック構成部材２１が腹部１６に当接しない構成とすることができる。
【００３６】
なお、本発明は上記実施形態に限定されるわけではなく、発明の趣旨を逸脱しない範囲内で任意に変更することが可能である。
【００３７】
・上記実施形態では、第２フック構成部材３１を略円弧状に湾曲した金属線材からなるものとしたが、これに限定されない。例えば、図５（ａ）に示される別の実施形態のルアー用フック１１Ａのように、直線的な金属線材からなる第２フック構成部材３１Ａを用いてもよい。また、図５（ｂ）に示される別の実施形態のルアー用フック１１Ｂのように、略く字状に屈曲した金属線材からなる第２フック構成部材３１Ｂを用いてもよい。
【００３８】
・例えば、図５（ｃ）に示される別の実施形態のルアー用フック１１Ｃのように、第２フック構成部材３１の両方の端部３２が、樹脂材またはゴム材からなるキャップ状の被覆体４１で被覆されていてもよい。この構成によると、比較的硬質な金属線材からなる第２フック構成部材３１が、それよりも軟質な材料で覆われた状態となる。ゆえに、第２フック構成部材３１を構成する金属線材がルアー１５の腹部１６に対して直接的に接触するのではなく、被覆体４１を介して間接的に接触することで、滑り止めが図られる。この結果、第２フック構成部材３１がより安定した状態で保持される。また、ルアー１５と第２フック構成部材３１との当接による衝突音が軽減されるため、このような衝突音を嫌う魚の釣りに適したものとすることができる。さらに、第２フック構成部材３１との当接によるルアー１５の傷付きも回避することができる。なお、被覆体４１は第２フック構成部材３１の両方の端部３２のみに形成されていてもよいほか、第２フック構成部材３１の全体にわたって形成されていてもよい。また、被覆体４１はキャップ状でなくてもよく、樹脂材やゴム材を層状にコーティングすることにより形成されたものであってもよい。
【００３９】
・上記実施形態では、第２フック構成部材３１が第１フック構成部材２１の背側に固定されていたが、腹側に固定することも一応可能である。なお、製造の容易化の観点からすると、上記実施形態のように背側に固定する構成のほうが有利である。
【００４０】
・上記実施形態では、第２フック構成部材３１が線材からなるものであったが、線材に限定されることはなく、例えば板状などであってもよい。また、第２フック構成部材３１は金属製でなくてもよく、金属以外の材料（例えば樹脂など）からなるものであってもよい。
【００４１】
・上記実施形態では、ルアー用フック１１をルアー１５の腹部１６における１箇所に設けたが、例えば腹部１６における２箇所にフックアイ１７が２つあるような場合には、各々にルアー用フック１１を設けてもよい。その際、第２フック構成部材３１の形状や大きさは等しくてもよいが、異なっていてもよい。
【００４２】
・上記実施形態では、第１フック構成部材２１及び第２フック構成部材３１が共通の材料（即ち同じ金属種かつ同じ太さの金属線材）を用いて形成されていたが、これに限定されない。例えば、第１フック構成部材２１及び第２フック構成部材３１を異なる金属種の金属線材で形成したり、異なる太さの金属線材で形成したりすることができる。なお、製造コストの低減を図るうえでは、上記実施形態のように共通の材料を用いて形成することが有利である。
【符号の説明】
【００４３】
１１、１１Ａ、１１Ｂ、１１Ｃ…ルアー用フック
１５…釣り用ルアー
１６…腹部
１７…フックアイ
２１…第１フック構成部材
２３…軸
２６…針先
３１、３１Ａ、３１Ｂ…第２フック構成部材
３２…端部
３３…凸状曲部
４１…被覆体
Ｌ１…直線
Ｐ１…交点
【要約】
【課題】ルアー側の構成追加を伴うことなく、水中でフックが位置ずれしにくくて針掛かりがよいルアー用フックを提供すること。
【解決手段】本発明のルアー用フック１１は、第１フック構成部材２１と第２フック構成部材３１とを備える。第１フック構成部材２１は、略Ｊ字状をなす金属線材からなり、チモト２２、軸２３及び針先２６を有する。第２フック構成部材３１は、第１フック構成部材３１よりも短い線材からなり、その両方の端部３２が非尖鋭状に形成されている。針先２６を始点として軸２３に直交する直線Ｌ１を引いたときの軸２３との交点Ｐ１を想定する。第２フック構成部材３１は、軸２３と交差した状態となるように、その交点Ｐ１よりも下側の位置に、固定されている。
【選択図】図１【図１】
0006945759.tif 000002
【図２】
0006945759.tif 000003
【図３】
0006945759.tif 000004
【図４】
0006945759.tif 000005
【図５】
0006945759.tif 000006
【図６】
0006945759.tif 000007